(57)【要約】【課題】映像信号分配表示システムに不具合が生じた場合に、その不具合の原因をユーザがすぐに視覚的に分かることができる映像表示監視システムを提供する。【解決手段】映像信号分配装置１００にはＤＶＤ再生装置２００と映像信号出力用ＰＣ４００が接続され映像信号が供給される。また、映像信号分配装置１００には第１プロジェクタ３１０と第２プロジェクタ３２０が接続され、ＤＶＤ再生装置２００の出力信号、または映像信号出力用ＰＣの出力信号が、第１及び第２プロジェクタに分配される。システム監視用ＰＣ５００は、映像信号分配装置１００に接続される各機器の接続状態、入出力信号の状態をモニターし、その状態をディスプレイ５３０に表示する。【選択図】図５
2016145871.tif 000002
【特許請求の範囲】
【請求項１】
複数の映像ソース出力機器と、
入力映像信号を表示する複数の映像表示機器と、
前記複数の映像ソース出力機器の出力を選択して、その選択された出力を前記複数の映像表示機器に分配する映像信号分配装置と、
前記映像信号分配装置の入出力信号をモニターし、その入出力信号状態を表示する制御装置と、を備えた、映像表示監視システム。
【請求項２】
前記制御装置は、前記映像信号分配装置と、前記映像ソース出力機器および前記映像表示機器との接続状態をモニターして、その接続状態を表示する請求項１に記載の映像表示監視システム。
【請求項３】
前記制御装置は、前記映像信号分配装置のステータスをモニターして、そのステータスを表示する請求項１に記載の映像表示監視システム。
【請求項４】
複数の映像ソース出力機器の出力を選択して、その選択された出力を複数の映像表示機器に分配する映像分配装置の入出力信号をモニターするステップと、
そのモニターされた入出力信号の状態を画面に表示するステップと、を実行させるプログラム。
【発明の詳細な説明】
【技術分野】
【０００１】
本開示は、信号ソースから入力される映像信号を、複数の映像表示機器に分配する映像信号分配装置に関する。
【背景技術】
【０００２】
特許文献１は、表示に関する仕様情報を格納した表示装置を複数台接続し、これらの表示装置に画像を表示させるためにホストからの信号を分配する表示装置の分配装置を開示する。
【先行技術文献】
【特許文献】
【０００３】
【特許文献１】特開２００１−３５６７５２号公報
【発明の概要】
【発明が解決しようとする課題】
【０００４】
本開示は、映像信号分配装置の入出力をモニターし、映像信号分配表示システムに不具合が生じた場合に、その不具合の原因をユーザがすぐに分かるようにした映像表示監視システムを提供する。
【課題を解決するための手段】
【０００５】
本開示は、複数の映像ソース出力機器と、入力映像信号を表示する複数の映像表示機器と、複数の映像ソース出力機器の出力を選択して、その選択された出力を複数の映像表示機器に分配する映像信号分配装置と、映像信号分配装置の入出力信号をモニターし、その入出力信号状態を表示する制御装置とを備えた映像表示監視システムである。
【発明の効果】
【０００６】
本開示における映像表示監視システムは、映像信号分配表示システムに不具合が生じた場合に、その不具合の原因をユーザがすぐに視覚的に分かることができる。
【図面の簡単な説明】
【０００７】
【図１】実施の形態における映像表示監視システムを示す模式図
【図２】実施の形態におけるプロジェクタの構成を示すブロック図
【図３】実施の形態における映像信号分配装置のブロック図
【図４】実施の形態におけるシステム監視用ＰＣのブロック図
【図５】実施の形態におけるシステム監視用ＰＣの表示画面の例を示す図
【図６】実施の形態における動作を説明するフローチャート
【図７】実施の形態における動作を説明するフローチャート
【図８】実施の形態における動作を説明するフローチャート
【図９】実施の形態における動作を説明するフローチャート
【図１０】実施の形態における動作を説明するフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態）
以下、図１〜図１０を用いて、実施の形態を説明する。
【００１１】
［１−１．構成］
［１−１−１．周辺機器との接続構成］
図１は、実施の形態にかかる映像表示監視システムを示す模式図である。映像信号分配装置１００には、ＤＶＤ再生装置２００、第１プロジェクタ３１０、第２プロジェクタ３２０、映像出力用ＰＣ（パーソナルコンピュータ）４００、システム監視用ＰＣ５００が接続されている。
【００１２】
ＤＶＤ再生装置２００は、ケーブル６００によって映像信号分配装置１００と接続され、ＤＶＤから再生された映像信号を映像信号分配装置１００に供給する。映像出力用ＰＣ４００は、ケーブル６３０によって映像信号分配装置１００と接続され、ＰＣの表示画像信号を映像信号分配装置１００に供給する。ＤＶＤ再生装置２００及び映像出力用ＰＣ４００は、映像ソース出力機器の一例である。
【００１３】
第１プロジェクタ３１０は、ケーブル６１０によって映像信号分配装置１００と接続され、ＤＶＤ再生装置２００で再生された映像信号は、映像信号分配装置１００により分配され第１プロジェクタ３１０と第２プロジェクタ３２０に供給される。
【００１４】
第２プロジェクタ３２０は、ケーブル６２０によって映像信号分配装置１００と接続され、映像出力用ＰＣ４００から出力されるＰＣの表示画像信号は、映像信号分配装置１００により分配されて第１プロジェクタ３１０と第２プロジェクタ３２０に供給される。第１プロジェクタ３１０と第２プロジェクタ３２０は、映像表示機器の一例である。
【００１５】
このように、ＤＶＤ再生装置２００、映像出力用ＰＣ４００、第１プロジェクタ３１０、第２プロジェクタ３２０が映像信号分配装置１００と接続されて、映像信号分配表示システムが構成される。
【００１６】
システム監視用ＰＣ５００は、この映像信号分配表示システムを監視するＰＣであって、ケーブル６４０によって映像信号分配装置１００と接続され、映像信号分配装置１００から各接続機器との信号入出力状態や、接続状態の情報を取得し、その情報を表示する。ここでは、システム監視用ＰＣ５００ではＰＣ（パーソナルコンピュータ）を例としているが、スマートフォンやタブレット等の携帯端末でも構わない。
【００１７】
このように本実施の形態では、映像信号分配装置１００は、１つの映像ソース出力機器からの映像信号を分配する。すなわち、ＤＶＤ再生装置２００の再生信号は、第１プロジェクタ３１０と第２プロジェクタ３２０に分配することができる。また、映像出力用ＰＣ４００から出力されるＰＣの表示画面の信号は、第１プロジェクタ３１０と第２プロジェクタ３２０に分配することができる。
【００１８】
従って、第１プロジェクタ３１０と第２プロジェクタ３２０は同じ内容の映像をスクリーン上に投写する。ケーブル６１０、６２０は、映像信号を伝送するとともに通信を行なえるように構成されている。ケーブル６４０は、少なくとも通信が行える構成のケーブルである。
【００１９】
［１−１−２．プロジェクタの構成］
図２は、第１プロジェクタ３１０のブロック図である。映像信号分配装置１００からの映像信号と制御信号は映像・制御信号受信／通信デバイス３１２に供給される。映像・制御信号受信／通信デバイス３１２に供給された制御信号は、マイクロコンピュータ３１１に供給される。
【００２０】
映像信号分配装置１００からの通信情報も映像・制御信号受信／通信デバイス３１２に供給され、マイクロコンピュータ３１１に与えられる。第１プロジェクタ３１０の情報もまた、マイクロコンピュータ３１１の制御により、映像・制御信号受信／通信デバイス３１２によって映像信号分配装置１００に与えられる。
【００２１】
映像・制御信号受信／通信デバイス３１２に供給された映像信号は、スケーラ３１３に供給され、そこでマイクロコンピュータ３１１の制御に基づいてスケーリングされる。スケーラ３１３から出力された映像信号は、ＯＳＤ描画部３１４に供給される。マイクロコンピュータ３１１は、リモコン送信機７００からＯＳＤ制御信号がリモコン受信部３１７で受信されると、ＲＯＭ３１８に記憶されたＯＳＤ（Ｏｎ  Ｓｃｒｅｅｎ  Ｄｉｓｐｌａｙ）の画像データやフォント（文言）データを読出し、ＯＳＤ描画部３１４で映像信号に重畳して出力する。ＯＳＤ描画部３１４から出力される映像信号は映像表示部３１５に供給される。また、ここではリモコン送信器７００からＯＳＤ制御信号が送信される場合を例としているが、第１プロジェクタ３１０本体のコントロールパネルや外部制御機器でも構わない。
【００２２】
映像表示部３１５は、本開示においてはＤＭＤ（デジタル・マイクロミラー・デバイス）であって、映像表示部３１５はＯＳＤ描画部３１４からの映像信号にもとづいて、光学ブロック３１６を構成する光源からの光を変調する。この変調された映像光は、光学ブロックの投写レンズから映像をスクリーンに拡大投写される。尚、ＲＡＭ３１９は、マイクロコンピュータ３１１が演算を行う際にワークメモリとして使用される。
【００２３】
第２プロジェクタ３２０も、第１プロジェクタ３１０と内部構成は同じであるので、その説明は省略する。
【００２４】
［１−１−３．映像信号分配装置の構成］
図３は、映像信号分配装置１００のブロック図である。ＤＶＤ再生装置２００の再生信号は、第１映像信号入力部１１１（「第１映像入力」とも言う）で受信される。映像出力用ＰＣ４００からの表示画像信号は、第２映像信号入力部１１２（「第２映像入力」とも言う）で受信される。第１映像信号入力部１１１と第２映像信号入力部１１２の双方に入力がある場合は、ユーザの操作部１１８の操作により選択された方の受信部が映像信号を出力するように構成される。
【００２５】
第１映像信号入力部１１１、または第２映像信号入力部１１２からの映像信号はスケーラ１１３に供給される。スケーラ１１３は入力される映像信号をマイクロコンピュータ１１５の制御に基づいてスケーリングする。
【００２６】
映像出力部１１４は第１プロジェクタが受信するために必要な映像情報を付加したり、必要に応じて映像信号に暗号化を施す。映像信号出力部１１４から出力された映像信号は、第１映像・制御信号出力／通信デバイス１０１（以下、「第１映像出力」とも言う）と、第２映像・制御信号出力／通信デバイス１０２（以下、「第２映像出力」とも言う）に供給される。
【００２７】
第１映像・制御信号出力／通信デバイス１０１からの出力は、ケーブル６１０によって第１プロジェクタ３１０に供給される。第１映像・制御信号出力／通信デバイス１０１からは、映像信号以外に、マイクロコンピュータ１１５からの制御信号や通信情報が出力される。第１映像・制御信号出力／通信デバイス１０１は、第１プロジェクタ３１０からの通信情報も受信し、マイクロコンピュータ１１５に供給する。
【００２８】
第２映像・制御信号出力／通信デバイス１０２からの出力は、ケーブル５２０によって第２プロジェクタ３２０に供給される。第２映像・制御信号出力／通信デバイス１０２からは、映像信号以外に、マイクロコンピュータ１１５からの制御信号や通信情報が出力される。第２映像・制御信号出力／通信デバイス１０２は、第２プロジェクタ３２０からの通信情報も受信し、マイクロコンピュータ１１５に供給する。
【００２９】
マイクロコンピュータ１１５は、また、第１映像信号入力部１１１、第２映像信号入力部１１２、第１映像・制御信号出力／通信デバイス１０１、第２映像・制御信号出力／通信デバイス１０２の状態を検出し、機器が接続されているかどうかと、信号の入出力があるかどうかを検出し、その検出情報を、入出力インターフェース１１９を介してシステム監視用ＰＣ５００に供給する。このようにマイクロコンピュータ１１５は、各ブロックに対し、データの伝送や制御を行う。尚、ＲＡＭ１１７は、マイクロコンピュータ１１５が演算を行う際に、ワークメモリとして使用される。
【００３０】
［１−１−４．システム監視用ＰＣの構成］
図４は、本実施の形態のシステム監視用ＰＣ５００のブロック図を示している。映像信号分配装置１００の入出力インターフェース１１９と、システム監視用ＰＣ５００の入出力インターフェース５２０とはケーブル６４０によって接続されている。ＣＰＵ（Ｃｅｎｔｒａｌ  Ｐｒｏｃｅｓｓｉｎｇ  Ｕｎｉｔ）５１０は、操作部５６０から入力されたユーザの指示に従い、ＲＯＭ５４０、または、ハードディスク５７０から所定のプログラムを読み出して実行し、映像信号分配装置１００のマイクロコンピュータと情報のやり取りを、入出力インターフェース５２０を介して行い、得られた情報を処理する。ＣＰＵ５１０は、情報を処理した結果をディスプレイ５３０に表示する。尚、ＲＡＭ５５０は、ＣＰＵ５１０のワークメモリとして機能する他、ディスプレイ５３０に表示するための情報を格納する。
【００３１】
［１−２．動作］
以上のように構成された映像表示監視システムについて、図５〜図１０を参照しつつその動作を以下説明する。
【００３２】
図５はシステム監視用ＰＣ５００のディスプレイの表示例を示す図、図６〜図１０は、本実施の形態における映像表示監視システムのシステム監視用ＰＣ５００の動作を説明するフローチャートである。
【００３３】
システム監視用ＰＣ５００は、映像信号分配装置１００の第１映像・制御信号出力／通信デバイス１０１に第１プロジェクタ３１０が接続されているかを確認する（Ｓ１）。第１映像・制御信号出力／通信デバイス１０１に第１プロジェクタ３１０が接続されていると判断されると（Ｓ２）、次に、第１映像・制御信号出力／通信デバイス１０１に出力信号があるかどうかの確認を行なう（Ｓ３）。
【００３４】
システム監視用ＰＣ５００は、ステップＳ２で第１映像・制御信号出力／通信デバイス１０１に第１プロジェクタ３１０が接続されていないと判断されると、第１映像出力が「未接続」である旨の情報をＲＡＭ５５０に格納する（Ｓ４）。
【００３５】
ステップＳ３、またはステップＳ４の処理が行われると、第１映像出力に出力信号があるかどうかの判断がされる（Ｓ５）。
【００３６】
ステップＳ５で、第１映像出力に出力信号があると判断されると、第１映像出力への出力信号の状態の情報をＲＡＭ５５０に格納し（Ｓ６）、ステップＳ５で、第１映像出力に出力信号がないと判断されると、第１映像出力が「未出力」である旨の情報をＲＡＭ５５０に格納する（Ｓ７）。
【００３７】
次に、システム監視用ＰＣ５００は、映像信号分配装置１００の第２映像・制御信号出力／通信デバイス１０２に第２プロジェクタ３２０が接続されているかを確認する（Ｓ８）。第２映像・制御信号出力／通信デバイス１０２に第２プロジェクタ３２０が接続されていると判断されると（Ｓ９）、次に、第２映像・制御信号出力／通信デバイス１０２に出力信号があるかどうかの確認を行なう（Ｓ１０）。
【００３８】
システム監視用ＰＣ５００は、ステップＳ９で第２映像・制御信号出力／通信デバイス１０２に第２プロジェクタ３２０が接続されていないと判断されると、第２映像出力が「未接続」である旨の情報をＲＡＭ５５０に格納する（Ｓ１１）。
【００３９】
ステップＳ１０、またはステップＳ１１の処理が行われると、第２映像出力に出力信号があるかどうかの判断がされる（Ｓ１２）。
【００４０】
ステップＳ１２で、第２映像出力に出力信号があると判断されると、第２映像出力への出力信号の状態の情報をＲＡＭに格納し（Ｓ１３）、ステップＳ１２で、第２映像出力に出力信号がないと判断されると、第２映像出力が「未出力」である旨の情報をＲＡＭ５５０に格納される（Ｓ１４）。
【００４１】
次に、システム監視用ＰＣ５００は、映像信号分配装置１００の第１映像信号入力部１１１にＤＶＤ再生装置２００が接続されているかを確認する（Ｓ１５）。第１映像信号入力部１１１にＤＶＤ再生装置２００が接続されていると判断されると（Ｓ１６）、第１映像信号入力部１１１に入力信号があるかどうかの確認を行なう（Ｓ１７）。
【００４２】
システム監視用ＰＣ５００は、ステップＳ１６で第１映像信号入力部１１１にＤＶＤ再生装置２００が接続されていないと判断されると、第１映像入力が「未接続」である旨の情報をＲＡＭに格納する（Ｓ１８）。
【００４３】
ステップＳ１７、またはステップＳ１８の処理が行われると、第１映像信号入力部１１１に入力信号があるかどうかの判断がされる（Ｓ１９）。
【００４４】
ステップＳ１９で、第１映像信号入力部１１１に入力信号があると判断されると、第１映像信号入力部１１１への入力信号の状態の情報をＲＡＭに格納し（Ｓ２０）、ステップＳ１９で、第１映像信号入力部１１１への入力信号がないと判断されると、第１映像出力が「未出力」である旨の情報をＲＡＭに格納される（Ｓ２１）。
【００４５】
次に、システム監視用ＰＣ５００は、映像信号分配装置１００の第２映像信号入力部１１２に映像出力用ＰＣ４００が接続されているかを確認する（Ｓ２２）。第２映像信号入力部１１２に映像出力用ＰＣ４００が接続されていると判断されると（Ｓ２３）、第２映像信号入力部１１２に入力信号があるかどうかの確認を行なう（Ｓ２４）。
【００４６】
システム監視用ＰＣ５００は、ステップＳ２３で第２映像信号入力部１１２に映像出力用ＰＣ４００が接続されていないと判断されると、第２映像入力が「未接続」である旨の情報をＲＡＭに格納する（Ｓ２５）。
【００４７】
ステップＳ２４、またはステップＳ２５の処理が行われると、第２映像信号入力部１１２に入力信号があるかどうかの判断がされる（Ｓ２６）。
【００４８】
ステップＳ２６で、第２映像信号入力部１１２に入力信号があると判断されると、第２映像信号入力部１１２への入力信号の状態の情報をＲＡＭ５５０に格納し（Ｓ２７）、ステップＳ２６で、第２映像信号入力部１１２への入力信号がないと判断されると、第２映像出力が「未入力」である旨の情報をＲＡＭ５５０に格納される（Ｓ２８）。
【００４９】
次に、システム監視用ＰＣ５００は、映像信号分配装置１００のステータスを確認する（Ｓ２９）。ここで、ステータスとは、映像信号分配装置１００自体の状態、例えば、内部にＣＰＵの冷却装置を備えていた場合、その冷却装置が正常に動作しているかどうかなどの状態である。ステップＳ２９でステータスの確認を行い、エラーがあると判断されると（Ｓ３０）、映像信号分配装置のエラー状態を確認し（Ｓ３１）、エラーが無いと判断されると（Ｓ３０）、映像信号分配装置のエラー状態をエラー無しとし終了する（Ｓ３２）。
【００５０】
ステップＳ３１で、映像信号分配装置のエラー状態が確認されると、取得した入出力信号/接続状態の情報をＲＡＭ５５０から読出し、エラー状態の情報とともにＧＵＩとしてディスプレイ５３０に描画する（Ｓ３３）。
【００５１】
このように、システム監視用ＰＣ５００は、ステップＳ１、ステップＳ８、ステップＳ１５、ステップＳ２２において、映像信号分配装置１００に各装置が接続されているかどうかをモニターする。システム監視用ＰＣ５００は、また、ステップＳ３、ステップＳ１０、ステップＳ１７、ステップＳ２４において、映像信号分配装置１００の入出力信号をモニターする。さらに、ステップＳ２９においては、映像信号分配装置１００のステータスをモニターし、ステップＳ３１においては、映像信号分配装置１００のエラー状態をモニターする。
【００５２】
これら、各ステップＳ１〜ステップＳ３３の処理プログラムは、システム監視用ＰＣ５００のＲＯＭ５４０やハードディスク５２０に格納されており、ＣＰＵ５１０がこれらＲＯＭ５４０やハードディスク５２０から処理プログラムを読み出して実行する。
【００５３】
図５は、上記のような処理により、ディスプレイ５３０に描画された状態の表示例を示している。この場合、第１映像出力として第１プロジェクタ３１０に対して１２８０×８００の解像度で６０Ｈｚの映像信号が出力されていることが表示され、第２映像出力には第２プロジェクタ３２０が接続されていないことを「未接続」の表示で示している。また、第１映像入力にはＤＶＤ再生装置が接続されているが、信号が再生されていない状態であり、この状態を「未入力」として表示し、第２映像入力には映像出力用ＰＣ４００からの映像信号分配装置に対して１９２０×１０８０の解像度で６０Ｈｚのプログレッシブ信号が映像信号分配装置に入力されていることを示している。
【００５４】
すなわち、ユーザが映像出力用ＰＣ４００の画面を第１プロジェクタ３１０と第２プロジェクタ３２０に投写しようとしたとき、図１に示すように、第２プロジェクタ３２０に何ら表示がされない状態になったとする。これをユーザが気付いたとき、操作部５６０を操作して、図５のようなモニター画面を出すことにより、どのような原因で映像が映出されていないかを容易に知ることができる。この場合、第２プロジェクタ３２０が未接続であることが分かり、その対策を施すことが可能になる。尚、ステップＳ３３で描画されるエラーの内容は、図５の「Ａｔｔｅｎｔｉｏｎ：」の下部に表示され、これによりユーザは映像信号分配装置１００のステータスを知ることができる。
【００５５】
なお、ここではシステム監視用ＰＣ５００が映像信号分配装置１００の各入出力信号の状態を確認、判断する例を挙げているが、映像信号分配装置１００が各入出力信号の状態、およびエラー内容の集約を行い、その結果のみをシステム監視用ＰＣ５００へ送信し、表示を行うプロトコルとしても構わない。
【００５６】
［１−３．効果等］
本実施の形態の映像表示監視システムは、映像表示監視システムは、映像信号分配表示システムに不具合が生じた場合に、その不具合の原因をユーザがシステム監視用ＰＣのディスプレイに状態を表示させることにより、不具合の原因がすぐに視覚的に分かることができる。
【００５７】
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００５８】
なお、上述の実施の形態は、本開示における技術を例示するためのものであるから、特許請求の範囲またはその均等の範囲において種々の変更、置き換え、付加、省略などを行うことができる。
【産業上の利用可能性】
【００５９】
本開示は、映像ソースからの映像信号を複数のプロジェクタ等の映像表示装置に分配する映像信号分配装置の監視するシステムに適用可能である。
【符号の説明】
【００６０】
１００  映像信号分配装置
１０１  第１映像・制御信号出力／通信デバイス
１０２  第２映像・制御信号出力／通信デバイス
１１１  第１映像信号入力部
１１２  第２映像信号入力部
１１５、３１１  マイクロコンピュータ
３１８、５４０  ＲＯＭ
１１８、５６０  操作部
２００  ＤＶＤ再生装置
３１０  第１プロジェクタ
３２０  第２プロジェクタ
４００  映像出力用ＰＣ
５００  システム監視用ＰＣ
５１０  ＣＰＵ
５３０  ディスプレイ
【図１】
2016145871.tif 000003
【図２】
2016145871.tif 000004
【図３】
2016145871.tif 000005
【図４】
2016145871.tif 000006
【図５】
2016145871.tif 000007
【図６】
2016145871.tif 000008
【図７】
2016145871.tif 000009
【図８】
2016145871.tif 000010
【図９】
2016145871.tif 000011
【図１０】
2016145871.tif 000012